(57)【要約】【課題】  量水器ユニットとこれに接続される配管との間に位置ずれがあってもこれらの接続を容易なものとする。【解決手段】  上流側配管出口２のスリーブ４内の差込孔５とこれに直交する量水器ユニット入口７のスリーブ９内の差込孔１０とに、エルボ１１の端末直管部１２，１４を回転可能且つ差込深さ無段階調節可能に差込み、且つ所定位置で締付ナット２０，２１によりガスケット１６，１８を端末直管部１２，１４の外側周面に圧着することによって固定する。上流側配管出口２の量水器ユニット軸線Ｘに対する高さ位置、量水器ユニット入口７の上流側配管軸線Ｙに対する前後位置のずれに対応できるものである。【選択図】      図１
2005213788.tif 000002
【特許請求の範囲】
【請求項１】
量水器およびその入口側と出口側とに設置される少なくとも各一個の制御用機器を一つの架台に固定した量水器ユニットを具え、その上流側配管および／または下流側配管が前記量水器ユニットと交叉する方向に配置され、上流側配管出口と量水器ユニット入口および／または量水器ユニット出口と下流側配管入口とがエルボによって接続されている配管装置において、
前記エルボの両端を前記上流側配管出口と量水器ユニット入口および／または前記量水器ユニット出口と下流側配管入口とに結合する管継手の一方が回転且つ伸縮可能な管継手とされている、
ことを特徴とする配管装置。
【請求項２】
量水器およびその入口側と出口側とに設置される少なくとも各一個の制御用機器を一つの架台に固定した量水器ユニットを具え、その上流側配管および／または下流側配管が前記量水器ユニットと交叉する方向に配置され、上流側配管出口と量水器ユニット入口および／または量水器ユニット出口と下流側配管入口とがエルボによって接続されている配管装置において、
前記エルボの両端を前記上流側配管出口と量水器ユニット入口および／または前記量水器ユニット出口と下流側配管入口とに結合する管継手の両方が回転且つ伸縮可能な管継手とされている、
ことを特徴とする配管装置。
【請求項３】
量水器およびその入口側と出口側とに設置される少なくとも各一個の制御用機器を一つの架台に固定した量水器ユニットを具え、その上流側配管および／または下流側配管が前記量水器ユニットと交叉する方向に配置され、上流側配管出口と量水器ユニット入口および／または量水器ユニット出口と下流側配管入口とがエルボによって接続されている配管装置において、
前記エルボの両端を前記上流側配管出口と量水器ユニット入口および／または前記量水器ユニット出口と下流側配管入口とに結合する管継手の一方が回転且つ変角可能な管継手とされている、
ことを特徴とする配管装置。
【請求項４】
量水器およびその入口側と出口側とに設置される少なくとも各一個の制御用機器を一つの架台に固定した量水器ユニットを具え、その上流側配管および／または下流側配管が前記量水器ユニットと交叉する方向に配置され、上流側配管出口と量水器ユニット入口および／または量水器ユニット出口と下流側配管入口とがエルボによって接続されている配管装置において、
前記エルボの両端を前記上流側配管出口と量水器ユニット入口および／または前記量水器ユニット出口と下流側配管入口とに結合する管継手の両方が回転且つ変角可能な管継手とされている、
ことを特徴とする配管装置。
【請求項５】
量水器およびその入口側と出口側とに設置される少なくとも各一個の制御用機器を一つの架台に固定した量水器ユニットを具え、その上流側配管および／または下流側配管が前記量水器ユニットと交叉する方向に配置され、上流側配管出口と量水器ユニット入口および／または量水器ユニット出口と下流側配管入口とがエルボによって接続されている配管装置において、
前記エルボの両端を前記上流側配管出口と量水器ユニット入口および／または前記量水器ユニット出口と下流側配管入口とに結合する管継手の一方が回転且つ伸縮可能な管継手とされ、もう一方が回転且つ変角可能な管継手とされている、
ことを特徴とする配管装置。
【請求項６】
前記回転且つ伸縮可能な管継手が、前記上流側配管出口と量水器ユニット入口のいずれかまたは両方、或いは前記量水器ユニット出口と下流側配管入口のいずれかまたは両方に設けたスリーブ内部の差込孔と、前記差込孔に回転可能且つ差込み深さ無段階調節可能に差込まれたエルボの端末直管部と、ガスケットおよび締付ナットとを具え、前記スリーブに螺装された前記締付ナットをねじ込むことにより前記ガスケットが前記スリーブ先端面との間で圧縮され前記端末直管部の外側周面に圧着して前記エルボを固定するものとされている請求項１，２，５のいずれかに記載した配管装置。
【請求項７】
前記スリーブとガスケットとの向かい合った面が前記締付ナットのねじ込み方向へ向かって内径側が前方となる傾斜面とされている請求項６に記載した配管装置。
【請求項８】
前記ガスケットと締付ナットとの間に表面平滑な硬質のパッキンが挟み込まれている請求項６，７のいずれかに記載した配管装置。
【請求項９】
前記回転且つ変角可能な管継手が、前記上流側配管出口と量水器ユニット入口のいずれかまたは両方、或いは前記量水器ユニット出口と下流側配管入口のいずれかまたは両方に設けたソケット内部の差込孔に形成された球面受部と、前記エルボの端末直管部に形成され前記球面受部に嵌装された球状部とを具え、前記エルボが回転可能であるとともに前記端末直管部が任意に角度変更可能とされている請求項３，４，５のいずれかに記載した配管装置。
【発明の詳細な説明】
【技術分野】
【０００１】
本発明は主に集合住宅の戸別給水・給湯に使用される配管装置に関し、詳しくは設置工事の際に量水器ユニットとこれに接続される配管との間に位置ずれがあっても接続を容易なものとする手段を具えた配管装置に関する。
【背景技術】
【０００２】
例えば集合住宅の戸別給水・給湯設備において、一住戸への配管は仕切弁、止水栓、減圧弁、定流量弁、逆止弁からなる制御用機器および量水器または給湯メータ（本発明では量水器と総称）を組込んだ構成である。量水器は入口側に設置される止水栓、減圧弁、定流量弁の少なくとも一つ、および出口側に設置される逆止弁と一緒に一つの架台に固定され、量水器ユニットとしてパイプシャフトの床に取り付けられる。
【０００３】
図３はその一例を示す概略図であって、中・高層建物の各階を縦断したパイプシャフト内の主配管から分岐させた枝管の鉛直方向へ延びる上流側配管８１に仕切弁８２、減圧弁８３が設けられ、同じく鉛直方向へ延びる下流側配管９０に仕切弁９１が設けられている。床８４に取り付けられた量水器ユニット８５は量水器８６の入口側に定流量弁８７、止水栓８８を有し、出口側に逆止弁８９を有しており、これらは水平方向の同一軸線上に配置されている。上流側配管８１および下流側配管９０は量水器ユニット８５の入口および出口とそれぞれエルボ９２，９３によって接続されている。  このように、量水器ユニット８５の入口および出口と上流側配管８１および下流側配管９０とをエルボ９２，９３で接続すること自体は例えば特開２００２−１３１０９７号公報に記載されているように周知である。
【０００４】
ここで、前記のような機器類を具えた配管を設置するにあたって、上流側配管８１と下流側配管９０とを施工してからそれらとの間に設置される量水器８６およびその前後の定流量弁８７、止水栓８８、逆止弁８９を設置する場合、これらを現場で芯合わせしながら接続するという面倒、およびその際に配管に芯ずれを生じていると接続が容易でない、という問題を解決するため、前述のように量水器８６およびその前後の機器類を一つの架台に固定しユニット化することが特開平９−２８０９１９号公報に記載されている。  この公報記載の技術ではユニット化することに加えて、量水器ユニットの入口および／または出口に取り付けられるエルボを量水器ユニットの軸線を中心として回転可能としている。
【０００５】
しかしながら、実際の配管設置工事においては上流側配管８１、下流側配管９０と量水器ユニット８５との間にさまざまなずれを生じる場合がある。例えば、上流側配管８１と量水器ユニット８５との接続個所において、図３に示したように所定の軸線Ｙ上の所定位置に上流側配管８１下端の管継手Ａが位置し、これと直交する所定の軸線Ｘ上の所定位置に量水器ユニット８５入口端の管継手Ｂが位置していれば、エルボ９２をこれらの管継手Ａ，Ｂによって容易且つ確実に接続することができる。  ところが、上流側配管８１の軸線が所定軸線Ｙよりも量水器ユニット８５に近いＹ１にずれて管継手ＡがＡ１の位置となったとき、または量水器ユニット８５が軸線Ｘ上でずれて管継手Ｂが軸線Ｙから離れたＢ１の位置となったとき、或いは上流側配管８１の軸線ＹがＺ方向にずれてＹ２となって管継手ＡがＡ２の位置となったとき、更に管継手ＡがＡ１またはＡ２ではなくＡ３またはＡ４の位置となったとき、などさまざまなずれに対してエルボ９２を量水器ユニット８５の軸線Ｘを中心として回転可能としただけでは対応することができない。
【特許文献１】特開２００２−１３１０９７号公報
【特許文献２】特開平９−２８０９１９号公報
【発明の開示】
【発明が解決しようとする課題】
【０００６】
本発明は前述の問題を解決するためになされたものであって、量水器ユニットに対し上流側配管および下流側配管のいずれかまたは両方が交叉、一般には直交して配置される場合、これらのさまざまな位置ずれに対応できる手段を具えた配管装置とすることを目的とする。
【課題を解決するための手段】
【０００７】
本発明は量水器およびその入口側と出口側とに設置される少なくとも各一個の制御用機器を一つの架台に固定した量水器ユニットを具え、その上流側配管および／または下流側配管が量水器ユニットと交叉して配置され、上流側配管出口と量水器ユニット入口および／または量水器ユニット出口と下流側配管入口とがエルボによって接続されている配管装置について、エルボの両端を上流側配管出口と量水器ユニット入口および／または量水器出口と下流側配管入口とに結合する管継手を次のようにすることによって前記課題を解決させるものとした。
【０００８】
即ち、前記の管継手の一方を回転且つ伸縮可能な管継手としたこと、或いは両方を回転且つ伸縮可能な管継手としたことをもって課題解決の第一手段、第二手段とした。  また、前記の管継手の一方を回転且つ変角可能な管継手としたこと、或いは両方を回転且つ変角可能な管継手としたことをもって課題解決の第三手段、第四手段とした。  更に、前記の管継手の一方を回転且つ伸縮可能な管継手とし、もう一方を回転且つ変角可能な管継手としたことをもって課題解決の第五手段とした。
【０００９】
図３を参照して、上流側配管側の管継手ＡがＡ１の位置、或いは量水器ユニット側の管継手ＢがＢ１の位置となった場合などには第一手段で対応することができ、ＡがＡ１の位置となり且つＢがＢ１の位置となった場合などには第二手段で対応することができる。  また、ＡがＡ２の位置となった場合などには第三手段で対応することができ、ＡがＡ４の位置となった場合などには第四手段で対応することができる。  更に、ＡがＡ３の位置となりＢがＢ１の位置となった場合などには第五手段で対応することができる。
【発明の効果】
【００１０】
以上のように、エルボの両端に設けられる管継手の一方または両方を回転且つ伸縮可能或いは回転且つ変角可能なものとし、もしくは一方を回転且つ伸縮可能なものとしもう一方を回転且つ変角可能なものとした本発明によると、量水器ユニットと上流側配管、下流側配管とをさまざまな位置ずれに対応してねじれや無理な接続個所を生じることなく容易に接続することができるものである。
【発明を実施するための最良の形態】
【００１１】
図面を参照して本発明の実施の形態を説明すると、図１は図３に符号Ａ、Ｂで示した管継手に代えて設置される回転且つ伸縮可能な管継手を示すものであって、本実施の形態では図３における減圧弁８３の二次側に接続された管継手１の下流端部を上流側配管出口２とし、図３における定流量弁８７の弁本体６の一次側端部を量水器ユニット入口７としている。上流側配管出口２には管継手１の流路３よりも大径の差込孔５を形成するスリーブ４が突設され、量水器ユニット入口７には定流量弁一次側の流路８よりも大径の差込孔１０を形成するスリーブ９が突設されている。
【００１２】
エルボ１１の両端部の互いに直交方向へ延びる端末直管部１２，１４は差込孔５，１０にそれぞれ嵌め込まれ、それらの端部外側周面に装着したＯリングからなるシール部材１３，１５が差込孔５，１０の周壁面に密着することにより水密とされている。  また、端末直管部１２，１４にはスリーブ４，９の外径と等しいかまたはこれよりも少し小さい外径のガスケット１６，１８およびパッキン１７，１９が嵌装され、スリーブ４，９に螺装した締付ナット２０，２１の内向き縁２０ａ、２１ａによってスリーブ４，９の先端面に押し付けられている。
【００１３】
ガスケット１６，１８はゴムなどの弾性材料で作られ、そのスリーブ４，９に向かい合った端面とスリーブ４，９の先端面とは、締付ナット２０，２１のねじ込み方向へ向かって内径側が前方となる傾斜面２２，２３とされ、締付によってガスケット１６，１８が圧縮されて端末直管部１２，１４の外側周面に圧着しエルボ１１を強固に固定するようになっている。  パッキン１７，１９は硬質合成樹脂で表面平滑に作られ、締付ナット２０，２１をねじ込んだときその回転に伴ってガスケット１６，１８が共回りしてねじれを生じることがないように、内向き縁２０ａ、２１ａおよびガスケット１６，１８との接触面ですべりを生じるものとされている。
【００１４】
前記のスリーブ４、端末直管部１２、ガスケット１６、パッキン１７、締付ナット２０は上流側配管出口２とエルボ１１とを結合する管継手を構成し、スリーブ９、端末直管部１４、ガスケット１８、パッキン１９、締付ナット２１はエルボ１１と量水器ユニット入口７とを結合する管継手を構成する。
【００１５】
図１では上流側配管出口２側の管継手は端末直管部１２が差込孔５から最大限に引き出され、従って最も伸長している状態とされ、量水器ユニット入口７側の管継手は端末直管部１４が差込孔１０に最大限に差込まれ、従って最も収縮している状態とされており、それぞれが最も伸長した位置と最も収縮した位置との間で差込み深さを無段階で調節することができ、且つガスケット１６，１８によりその位置に固定することができる。
【００１６】
そして、本実施の形態によると、量水器ユニット軸線Ｘに対する上流側配管出口２の高さ位置、上流側配管軸線Ｙに対する量水器ユニット入口７の前後位置がともに所定基準位置からずれていても対応することができる。  また、締付ナット２０，２１を緩めて端末直管部１２，１４をスリーブ４，９内で回転させることができるので、軸線Ｙが鉛直ではなく傾斜し或いは軸線Ｘと同じ水平面上にあっても対応することができる。  もっとも、一方の管継手を回転且つ伸縮可能な本実施の形態のものとし、もう一方の管継手を通常の回転のみが可能なものとすることもでき、この場合は上流側配管出口２および量水器ユニット入口７のいずれかの位置ずれに対応することができる。
【００１７】
図２は図３に符号Ａ，Ｂで示した管継手に代えて設置される回転且つ変角可能な管継手を示すものであって、管継手１の下流端部が上流側配管出口２であり、定流量弁の弁本体６の一次側端部が量水器ユニット入口７であることは図１で示したものと同じである。  上流側配管出口２および量水器ユニット入口７には管継手１の流路２および定流量弁一次側の流路８よりも大径の差込孔２５，３０を形成するソケット２４，２６が突設されており、差込孔２５，３０に球面受部２５Ａ，３０Ａが設けられている。
【００１８】
エルボ３１の両端部の互いに直交方向へ延びる端末直管部３２，３４の端部に球状部３３，３５が形成されており、これらの球状部３３，３５が球面受部２５Ａ，３０Ａにこれらの隙間をＯリングからなるシール部材３６，３７により水密として嵌装している。  尚、図中の符号４０，４１はソケット２４，２６に螺装した押えナットであって、球状部３３，３５の嵌脱のために設けたソケット２４，２６の分割部片２４Ａ，２６Ａの緩み、従ってシール部材３６，３７の水密機能低下を防止するものである。
【００１９】
前記のソケット２４、端末直管部３２、球面受部２５Ａ、球状部３３は上流側配管出口２とエルボ３１とを結合する管継手を構成し、ソケット２６、端末直管部３４、球面受部３０Ａ、球状部３５はエルボ３１と量水器ユニット入口７とを結合する管継手を構成する。
【００２０】
図２ではエルボ３１が両端の端末直管部３２，３４を上流側配管軸線Ｙおよび量水器ユニット軸線Ｘに対してともに傾斜させて上流側配管出口２と量水器ユニット入口７とを接続している状態とされており、これは例えば図３でＡがＡ４の位置となった場合の接続状態を示している。
【００２１】
また、本実施の形態によると、図３でＡがＡ２の位置となった場合などに対応することができる。更に、軸線Ｙが軸線Ｘと同じ水平面上で直交または傾いた配管設置状態などにも、回転可能且つ任意に角度可変可能であることによって対応することができる。  もっとも、一方の管継ぎ手を回転且つ変角可能な本実施の形態のものとし、もう一方の管継ぎ手を通常の回転のみが可能なものとすることができ、このものは図３でＡがＡ２の位置となった場合などに対応することができる。
【００２２】
更に、本発明では一方の管継手を図１に示す回転且つ伸縮可能なものとし、もう一方の管継手を図２に示す回転且つ変角可能なものとすることができ、このものは図３でＡがＡ３、ＢがＢ１の位置となった場合などに対応することができる。
【図面の簡単な説明】
【００２３】
【図１】本発明の実施の形態を示す従断面図。
【図２】本発明の異なる実施の形態を示す従断面図。
【図３】配管の一例を示す配置図。
【符号の説明】
【００２４】
２  上流側配管出口、  ４，９  スリーブ、  ５，１０，２５，３０  差込孔、１１，３１  エルボ、  １２，１４，３２，３４  端末直管部、  １６，１８  ガスケット、  １７，１９  パッキン、  ２０，２１  締付ナット、  ２４，２６  ソケット、  ２５Ａ，３０Ａ  球面受部、  ３３，３５  球状部
【図１】
2005213788.tif 000003
【図２】
2005213788.tif 000004
【図３】
2005213788.tif 000005